(57)【特許請求の範囲】
【請求項１】
上面に原稿が載置されるコンタクトガラスと、
前記コンタクトガラスに対して面的な接触が可能に、回動自在に設置された原稿カバーと、
前記コンタクトガラスの下面側から前記原稿を照明する光源と、前記光源によって照明された前記原稿からの反射光を結像させる光学系と、前記光学系により結像された光学像を電気信号に変換するイメージセンサーとを有し、前記原稿を読み取った画像データを取得する画像読取部と、
前記原稿カバーが開かれている状態で、前記画像読取部により取得された画像データを用いて、前記画像読取部の主走査方向における原稿サイズの検知を行う原稿サイズ検知部と、
前記光源を初期光量で点灯させて前記原稿サイズ検知部に原稿サイズの検知を行わせ、続けて前記初期光量よりも予め定められた値だけ低減させた光量により前記光源を点灯させて前記原稿サイズ検知部に原稿サイズの検知を行わせ、２度とも同じ原稿サイズが検知された場合に、当該低減させた光量を、前記原稿サイズ検知時に前記光源を点灯させる原稿サイズ検知用光量として設定する制御部と、を備えた画像読取装置。
【請求項２】
前記制御部は、前記原稿サイズ検知部による前記２度の原稿サイズ検知で異なる原稿サイズが検知された場合には、前記初期光量を、前記原稿サイズ検知時に前記光源を点灯させる光量として設定する請求項１に記載の画像読取装置。
【請求項３】
前記制御部は、前記低減させた光量で前記光源を点灯させて前記原稿サイズ検知部に原稿サイズの検知を行わせ、続けて光量を予め定められた値だけ増大して前記光源を点灯させて前記原稿サイズ検知部に原稿サイズの検知を行わせ、これら２度の原稿サイズ検知で異なる原稿サイズが検知された場合には、前記原稿サイズ検知用光量を、前記初期光量に戻す光量復帰処理を行う請求項１に記載の画像読取装置。
【請求項４】
前記制御部は、前記原稿サイズ検知用光量を前記低減させた光量に設定した場合、予め定められた期間中は、前記原稿サイズ検知用光量を前記低減させた光量に維持し、当該予め定められた期間の経過後に、前記光量復帰処理を行う請求項３に記載の画像読取装置。
【請求項５】
請求項１乃至請求項４のいずれかに記載の画像読取装置と、
前画像読取装置によって読み取られた画像を用いて画像形成を行う画像形成部と、を備える画像形成装置。
【発明の詳細な説明】
【技術分野】
【０００１】
本発明は、画像読取装置及び画像形成装置に関し、特に、読取対象とされる原稿のサイズを検知する際に画像読取部に照射させる光量を調整する技術に関する。
【背景技術】
【０００２】
コンタクトガラス上に載置された原稿を光学的に読み取って画像データを生成する画像読取装置が、例えば複合機等の画像形成装置に備えられている。この画像読取装置には、原稿カバーが閉められる直前、コンタクトガラス上に配置された原稿のサイズを検出するものがある。
【０００３】
原稿サイズの検知は、原稿カバーが開いた状態でコンタクトガラスの下面側から原稿に光を照射し、その反射光を読み取ることで行われる。原稿サイズの検知時には、原稿カバーが開いた状態で、コンタクトガラスの下面側から原稿に光が照射されるため、強い光がコンタクトガラスを透過して操作者に向かうことになる。そこで、下記特許文献１では、原稿カバーが開いた状態で原稿サイズの検知を行う場合の光量を画像読取時の光量よりも下げることで、原稿サイズ検知時に強い光が操作者の目に入らないようにしている。
【先行技術文献】
【特許文献】
【０００４】
【特許文献１】特開２００３−２５５４７７号公報
【発明の概要】
【発明が解決しようとする課題】
【０００５】
上記特許文献１では原稿サイズ検知時に光源を低光量にするが、その光量は固定値であるため、原稿の厚みによっては光量が相対的に小さすぎて原稿サイズが正しく検知できないおそれがある。逆に、当該固定値が比較的高めに設定されていると、依然として原稿サイズ検知時に強い光が操作者の目に入って操作者を眩惑させてしまうおそれがある。
【０００６】
本発明は、上記の問題を解決するためになされたもので、原稿カバーが開いた状態で原稿サイズの検知を行う場合における光源の光量を、原稿サイズ検知の精度を保ちつつ低減可能とすることを目的とする。
【課題を解決するための手段】
【０００７】
本発明の一局面に係る画像読取装置は、上面に原稿が載置されるコンタクトガラスと、
前記コンタクトガラスに対して面的な接触が可能に、回動自在に設置された原稿カバーと、
前記コンタクトガラスの下面側から前記原稿を照明する光源と、前記光源によって照明された前記原稿からの反射光を結像させる光学レンズと、前記光学レンズにより結像された光学像を電気信号に変換するイメージセンサーとを有し、前記原稿を読み取った画像データを取得する画像読取部と、
前記原稿カバーが開かれている状態で、前記画像読取部により取得された画像データを用いて、前記画像読取部の主走査方向における原稿サイズの検知を行う原稿サイズ検知部と、
前記光源を初期光量で点灯させて前記原稿サイズ検知部に原稿サイズの検知を行わせ、続けて前記初期光量よりも予め定められた値だけ低減させた光量により前記光源を点灯させて前記原稿サイズ検知部に原稿サイズの検知を行わせ、２度とも同じ原稿サイズが検知された場合に、当該低減させた光量を、前記原稿サイズ検知時に前記光源を点灯させる原稿サイズ検知用光量として設定する制御部と、を備えたものである。
【発明の効果】
【０００８】
本発明によれば、原稿カバーが開いた状態で原稿サイズの検知を行う場合における光源の光量を、原稿サイズ検知の精度を保ちつつ低減可能となる。本発明によれば、様々な厚みの原稿のサイズを正確に検知できるとともに、原稿サイズ検知時に強い光が操作者の目に入らないようにして、操作者の不快感を軽減できる。
【図面の簡単な説明】
【０００９】
【図１】本発明の一実施形態に係る画像読取装置を備える画像形成装置の外観を示す斜視図である。
【図２】本発明の一実施形態に係る画像読取装置の外観構成を示す概略図である。
【図３】画像読取装置の全体構成を示す概略図である。
【図４】原稿サイズ検知時の光源の光量設定処理を示すフローチャートである。
【図５】制御部による１回目の原稿サイズ検知時における光源光量の調整処理を示すフローチャートである。
【図６】制御部による２回目以降の原稿サイズ検知時における光源光量の調整処理を示すフローチャートである。
【発明を実施するための形態】
【００１０】
以下、本発明の一実施形態に係る画像形成装置及び画像読取装置について図面を参照して説明する。図１は、本発明の一実施形態に係る画像読取装置を備える画像形成装置の外観を示す斜視図である。図１に示す画像形成装置１は、筐体からなるハウジング１００１を備える。
【００１１】
ハウジング１００１は、下ハウジング１０１１と、その上部に設けられたれ上ハウジング１０２と、これら両ハウジングを連結する連結ハウジング１０３１とを備える。下ハウジング１０１１と上ハウジング１０２との中間部には、側方から略水平方向に内側に入り込んだ用紙スタック部１０７が形成されている。また、上ハウジング１０２の前面には、操作部５０が設けられている。操作部５０には、タッチパネル式の表示部４７３が設けられている。用紙スタック部１０７には、下ハウジング１０１１から排出される用紙が積載されるシートトレイ１０８が設けられている。
【００１２】
上ハウジング１０２は、内部にフラットベッドを有して当該フラットベッド上の原稿をスキャナー部等により読み取る画像読取装置（画像読取部の一例）２を有している。下ハウジング１０１１は、用紙上にトナー画像を形成する感光体ドラム、露光部及び現像部と、用紙上のトナー画像を定着するための定着部といった画像形成機構を内蔵している。下ハウジング１０１１には、更に、記録紙を貯留する給紙カセット（給紙機構）１０６１が設けられている。なお、この実施形態では、給紙カセット１０６１が２つ備えられた例を示しているが、給紙カセットの数は特に限定されない。連結ハウジング１０３１には、画像形成行程における定着後の記録紙を搬送してシートトレイ１０８に排出するための用紙搬送路を内蔵している。
【００１３】
画像形成装置１では、画像読取装置２により読み取られた原稿画像を、下ハウジング１０１１に内蔵された上記画像形成機構により、給紙カセット１０６１のいずれかから給紙される記録紙上に画像形成し、当該画像形成後の記録紙は、連結ハウジング１０３１内の用紙搬送路からシートトレイ１０８に排出される。
【００１４】
図２は、本発明の一実施形態に係る画像読取装置２の外観構成を示す概略図である。画像読取装置２は、図略の光学レンズを用いて原稿の光学像をＣＣＤ（Charge Coupled Device）等のイメージセンサーに結像することで画像を読み取る、いわゆる縮小光学系の画像読取装置である。画像読取装置２は、画像読取装置本体１０と、画像読取装置本体１０の上面に設けられたコンタクトガラス（プラテンガラス、原稿台ガラスともいう）１１と、コンタクトガラス１１の上面の装置背面側（奥側）に設けられた原稿サイズ支持部材１２と、コンタクトガラス１１上に載置された原稿Ｄを押圧し支持する原稿カバー（プラテンカバーとも言う）２０を備えている。
【００１５】
原稿カバー２０は、装置奥側を回動軸として回動自在に設置されている略平板状の部材である。原稿カバー２０は、装置奥側に設けられた原稿カバー支持部１３により、上下方向に開閉可能となるように支持されている。原稿カバー２０の裏面、すなわち、原稿Ｄ側には、コンタクトガラス１１に面接触可能で原稿Ｄを直接押圧する白色の原稿マット２１が設けられている。原稿カバー２０を閉じた状態において、原稿マット２１が原稿Ｄをコンタクトガラス１１に対して均一に押圧して原稿Ｄをコンタクトガラス１１に密着させるとともに、画像読取時に外乱光がコンタクトガラス１１から画像読取装置本体１０内部へ入射することを防いでいる。
【００１６】
原稿カバー支持部１３には、原稿カバー２０の開閉状態を検知するためのセンサー１４が設けられており、画像読取装置本体１０と原稿カバー支持部１３との間に設けられた原稿カバー開閉検知用の補助部材１５と押圧部材１７とセンサー１４により、原稿カバー開閉検知用スイッチ１５０が構成されている。
【００１７】
押圧部材１７は、原稿カバー２０の内面側であってコンタクトガラス１１に対向する面に、補助部材１５に接触可能な位置に設けられている。押圧部材１７は、内部に設けられた例えば押しバネにより、下方に位置する補助部材１５に向かう方向に押圧された状態で、当該押圧方向に伸縮自在とされている。
【００１８】
補助部材１５は、装置上方へと付勢されている。この付勢力は、上記押しバネによる押圧部材１７の押圧力よりも小さい力とされている。補助部材１５の上方先端部は、原稿カバー２０がコンタクトガラス１１から離れて、コンタクトガラス１１に対する原稿カバー２０の角度が例えば３０°（当該角度を一定角度とする）以上では、押圧部材１７と当接しない。この状態では補助部材１５は上記付勢による最上位置で静止している。
【００１９】
一方、原稿カバー２０が上記姿勢からコンタクトガラス１１に近付く方向に回動して、コンタクトガラス１１に対する原稿カバー２０の角度が上記３０°よりも小さい角度になると、補助部材１５は押圧部材１７との当接により下方へ押し込まれる。このように、補助部材１５は、原稿カバー２０の開閉に連動して上下方向に移動するように構成されている。
【００２０】
センサー１４は、図略の発光素子と受光素子とを有している。原稿カバー２０が上記一定角度以上開いた状態にあり、補助部材１５が最上位置で静止しているとき、補助部材１５の下方先端部に形成された突起部１６は、センサー１４の発光素子と受光素子との間に位置してこれら素子間の光を遮断する。これにより、原稿カバー２０は、後述する制御部１８０により「開状態」として検知される。一方、原稿カバー２０が上記一定角度よりも閉じられると、補助部材１５の押し込みが開始され、その突起部１６が下方へ移動するとセンサー１４の発光素子と受光素子との間の遮光状態が解除される。このとき、原稿カバー２０は制御部１８０により「閉状態」として検知される。
【００２１】
更に、原稿カバー２０がコンタクトガラス１１に近付く方向に回動してコンタクトガラス１１に接近すると、押圧部材１７は補助部材１５をコンタクトガラス１１の面高さまで押し込んで、コンタクトガラス１１と当接する。このとき、押圧部材１７は、当該当接により、上記押しバネに抗して原稿カバー２０側に押し込まれる。原稿カバー２０が更に回動してその内面がコンタクトガラス１１に密着すると、上記押し込みによる収縮で、押圧部材１７が原稿カバー２０の上記内面位置まで押し込まれる。このとき、押圧部材１７内に設けられている図略の機械スイッチがそれまでのスイッチ開状態からスイッチ閉状態となる。制御部１８０は、このスイッチ閉状態を検出すると、これをもって、原稿カバー２０がコンタクトガラス１１に密着して完全に閉じられた「完全閉状態」と検知する。制御部１８０は、当該スイッチが未だ開状態のときは、原稿カバー２０がコンタクトガラス１１に完全には密着していない上記「閉状態」であると検知する。すなわち、当該「閉状態」は、原稿カバー２０がコンタクトガラス１１に完全に密着して閉じる直前の状態であって、原稿カバー２０がコンタクトガラス１１に対して未だ開いている状態を示す。
【００２２】
次に、画像読取装置２の構成を説明する。図３は、画像読取装置２の全体構成を示す概略図であり、画像読取装置２を、画像形成装置１の前方に位置する操作者からみて画像読取装置２手前側から見た図である。
【００２３】
画像読取装置本体１０には、光源１００と、３つのミラー１０１ａ、１０１ｂ及び１０１ｃ及び光学レンズ１０６を有する光学系と、イメージセンサー１０３とが設けられている。光源１００とミラー１０１ａは移動キャリッジ１１０に収容されている。
【００２４】
光源１００は、コンタクトガラス１１上に載置された原稿Ｄをコンタクトガラス１１の下面から照明する。光源１００は、例えば、アレイ状に配置された複数個の白色ＬＥＤで構成することができる。光源１００の光量は、供給される電流量により調整可能である。
【００２５】
３つのミラー１０１ａ、１０１ｂ及び１０１ｃは、光源１００によって照明された原稿Ｄからの反射光を反射させて光学レンズ１０６に導光する。
【００２６】
光学レンズ１０６は、３つのミラー１０１ａ、１０１ｂ及び１０１ｃを経由して入射された光をイメージセンサー１０３に縮小結像させる。
【００２７】
イメージセンサー１０３は、画像読取装置２の背面部側から前面側にかけての方向である主走査方向に複数のセンサー素子（例えば、ＣＣＤ）を有して光学レンズ１０６により縮小結像された光学像を電気信号に変換するものである。
【００２８】
上記の光源１００、ミラー１０１ａ、１０１ｂ及び１０１ｃ、光学レンズ１０６、及びイメージセンサー１０３はいずれも、画像形成装置１及び画像読取装置２の背面部側から前面側にかけての方向である主走査方向に亘って直線状に延びており、移動キャリッジ１１０が図略のモーターから供給される駆動力により副走査方向に移動することで、光源１００、ミラー１０１ａ、１０１ｂ及び１０１ｃ、光学レンズ１０６、及びイメージセンサー１０３により、原稿Ｄの主走査方向における全体領域が、副走査方向（主走査方向に直交する方向）に亘って読み取られる。
【００２９】
画像読取装置２は、更に、Ａ／Ｄ変換器１０４と、画像処理部１０５と、原稿サイズ検知部１０９と、制御部１８０とを備える。
【００３０】
Ａ／Ｄ変換器１０４は、イメージセンサー１０３から出力される電気信号をディジタル信号に変換する。画像処理部１０５は、例えばＡＳＩＣ（Application Specific Integrated Circuit）等で構成され、Ａ／Ｄ変換器１０４から出力されるディジタル信号（読取データ）を処理して原稿Ｄの画像データを生成する。
【００３１】
原稿サイズ検知部１０９は、画像処理部１０５により生成された画像データを用いて原稿サイズ検知を行う。原稿サイズ検知部１０９は、原稿カバー２０が閉じられる直前であって、原稿カバー２０が未だ開かれているとき、本実施形態では、制御部１８０により上記「開状態」から「閉状態」と検知されるに至った時点で、又は、操作者が操作部５０おける所定のボタン（スキャンを開始するスタートキー等）又は表示部４７３に表示されたスキャン開始ボタンを操作した時点で、原稿サイズ検知を行う。
【００３２】
制御部１８０は、ＣＰＵ及びＲＡＭ等により構成され、画像読取装置２及び画像形成装置１の全体的な動作制御を行う。特に、制御部１８０は、原稿カバー２０が開いた状態で原稿Ｄのサイズ検知が行われる場合に、光源１００から照射される強い光で操作者が眩惑されないように、光源１００の光量を低下させる。具体的には、制御部１８０は、光源１００に供給される電流を制御して光源１００の光量を調整する。
【００３３】
次に、制御部１８０による原稿サイズ検知時の光源の光量設定処理を説明する。図４は制御部１８０による原稿サイズ検知時の光源の光量設定処理を示すフローチャートである。
【００３４】
操作者から例えばスキャン開始が指示されて原稿Ｄのサイズ検知が開始され、制御部１８０が、原稿カバー開閉検知用スイッチ１５０からの出力に基づいて、原稿カバー２０が「開状態」であることを検出しているとき（Ｓ１でＹＥＳ）、制御部１８０は、原稿サイズ検知時に光源１００を点灯させる原稿サイズ検知用光量として、光源１００の光量を低光量Ａに設定する（Ｓ３）。
【００３５】
一方、制御部１８０が、原稿カバー開閉検知用スイッチ１５０からの出力に基づいて、原稿カバー２０が「閉状態」であることを検出しているとき（Ｓ１でＮＯ、Ｓ２でＮＯ）、制御部１８０は、原稿サイズ検知用光量として、光源１００の光量を中光量Ｂに設定し（Ｓ４）、原稿カバー２０が「完全閉状態」であることを検出しているとき（Ｓ１でＮＯ、Ｓ２でＹＥＳ）、制御部１８０は、原稿サイズ検知用光量として、光源１００の光量を大光量Ｃに設定する（Ｓ５）。なお、中光量Ｂは、低光量Ａよりも大きく、大光量Ｃよりも小さい値である。
【００３６】
そして、制御部１８０は、光源１００を上記設定した光量で点灯させて、原稿サイズ検知用に、イメージセンサー１０３に、コンタクトガラス１１上の原稿Ｄの画像を読み取らせる（Ｓ６）。イメージセンサー１０３からのセンサー出力は、Ａ／Ｄ変換器１０４によりＡ／Ｄ変換が行われてディジタル信号とされ、画像処理部１０５による画像処理で画像データとされる。
【００３７】
なお、制御部１８０は、移動キャリッジ１１０を、予め定められたホームポジションにある位置から、原稿Ｄの当該ホームポジション側端部まで副走査方向に移動させて、この位置で光源１００を点灯させてイメージセンサー１０３による画像読取を開始させる。このとき、制御部１８０は、画像読取装置２に、主走査方向においては、コンタクトガラス１１に載置可能とされる最大用紙サイズ以上の主走査方向幅を超える領域に亘って画像読取を行わせる。なお、原稿サイズ検知のために必要な画像を取得できれば足りるため、制御部１８０は、副走査方向においては、原稿Ｄの副走査方向幅の全域に移動キャリッジ１１０を移動させる必要はなく、副走査方向幅の一部領域、例えば、原稿Ｄの副走査方向端部から例えば２ｃｍ程度移動させて、移動キャリッジ１１０の上方の画像を読み取らせる。
【００３８】
続いて、原稿サイズ検知部１０９は、画像処理部１０５による画像処理で生成された画像データを用いて、コンタクトガラス１１上に載置された原稿Ｄの主走査方向サイズを検知する処理を実行する（Ｓ７）。
【００３９】
より詳細には、原稿サイズ検知部１０９は、原稿Ｄの反射光が入射していることを示す画素値を有して連続して主走査方向に並ぶ画素群により構成される領域の主走査方向幅を検出し、当該検出した主走査方向幅を、コンタクトガラス１１に載置された原稿Ｄの主走査方向サイズとして検知する。
【００４０】
原稿サイズ検知部１０９は、縦寸法及び横寸法の組み合わせで示される複数の既存の用紙サイズ（Ａ４サイズ、Ｂ５サイズ、レターサイズ等）を予め記憶しており、ここから、上記検知した主走査方向サイズと縦又は横の寸法が一致する用紙サイズを抽出する（Ｓ８）。
【００４１】
このとき、原稿サイズ検知部１０９は、抽出した用紙サイズが単数であるときは（Ｓ９でＹＥＳ）、当該抽出した用紙サイズ（Ａ４サイズ、Ｂ５サイズ、レターサイズ等のいずれか）を原稿サイズとして検知する（Ｓ１０）。
【００４２】
原稿サイズ検知部１０９は、抽出した用紙サイズが複数であるときは（Ｓ９でＮＯ）、制御部１８０が、当該抽出した用紙サイズを示す画像を表示部４７３に表示させる（Ｓ１１）。このとき、操作者が表示部４７３の表示画面に表示された画像のうち、コンタクトガラス１１に載置された原稿のサイズに該当する用紙サイズを示す画像の表示部分にタッチすると、表示部４７３が有するタッチパネル機能により、当該タッチされた画像が示す用紙サイズが原稿サイズとして原稿サイズ検知部１０９に受け付けられる（Ｓ１２）。これにより、コンタクトガラス１１に載置された原稿の原稿サイズが検知される。
【００４３】
次に、制御部１８０による、１回目の原稿サイズ検知時の光源の光量の調整処理を説明する。図５は、制御部１８０による、１回目の原稿サイズ検知時における光源光量の調整処理を示すフローチャートである。
【００４４】
操作者から例えばスキャン開始が指示されて原稿Ｄのサイズ検知が開始され、制御部１８０が、原稿カバー開閉検知用スイッチ１５０からの出力に基づいて、原稿カバー２０が「開状態」であることを検出しているとき（Ｓ２１でＹＥＳ）、制御部１８０は、光源１００の光量を初期光量Ａに設定する（Ｓ２２）。初期光量Ａは上述の低光量Ａである。そして、制御部１８０は、光源１００を初期光量Ａで点灯させて、原稿サイズ検知部１０９に原稿サイズの検知を行わせる（Ｓ２３）。
【００４５】
次に、制御部１８０は、光源１００の光量をＡ'に設定する（Ｓ２４）。ただし、光量Ａ'は低光量Ａよりも予め定められた値だけ低減させた更に小さい光量である。そして、制御部１８０は、光源１００を光量Ａ'で点灯させて、原稿サイズ検知部１０９に原稿サイズの検知を再度行わせる（Ｓ２５）。
【００４６】
上記の２度の原稿サイズ検知が終了すると、制御部１８０は、当該各原稿サイズ検知で検出された原稿サイズが同じか否かを判断する。２度とも同じ原稿サイズが検知された場合（Ｓ２６でＹＥＳ）、制御部１８０は、次回の原稿サイズ検知において光源１００を点灯させる上記原稿サイズ検知用光量をＡからＡ'に変更する（Ｓ２７）。なぜなら、原稿サイズ検知用光量をＡ'に下げても原稿サイズを正しく検知できるからである。一方、２回の原稿サイズ検知で異なる原稿サイズが検知された場合（Ｓ２６でＮＯ）、制御部１８０は、光源１００の原稿サイズ検知用光量を初期光量Ａのまま変更しない。なぜなら、初期光量をＡ'としたのでは原稿サイズを正しく検知できないからである。
【００４７】
ステップＳ２７で、光源１００の原稿サイズ検知用光量がＡからＡ'に変更されることにより、次回は、光源１００が低光量Ａよりも更に小さい光量Ａ'で点灯されて原稿サイズ検知が行われる。これにより、様々な厚みの原稿Ｄのサイズを正確に検知できる精度を確保しつつ、原稿サイズ検知時に強い光が操作者の目に入らないようにして操作者の不快感を軽減することができる。
【００４８】
ところで、原稿カバー２０が開いた状態で原稿サイズの検知を行うと外乱光が入射してしまう。このため、ステップＳ２６で同じ原稿サイズが検知されるか否かは、その時々の周囲環境に左右される。ステップＳ２７で光源１００の原稿サイズ検知用光量をＡ'に変更した後に、その光量で原稿サイズを正しく検知できるか否かを検証する必要がある。
【００４９】
次に、制御部１８０による、２回目以降の原稿サイズ検知時の光源の低光量の調整処理を説明する。図６は、制御部１８０による、２回目以降の原稿サイズ検知時における光源光量の調整処理を示すフローチャートである。
【００５０】
操作者から例えばスキャン開始が指示されて原稿Ｄのサイズ検知が開始され、制御部１８０が、原稿カバー開閉検知用スイッチ１５０からの出力に基づいて、原稿カバー２０が「開状態」であることを検出しているとき（Ｓ３１でＹＥＳ）、ここでは、制御部１８０は、光源１００の原稿サイズ検知用光量をＡ'に設定するものとする（Ｓ３２）。制御部１８０は、光源１００を光量Ａ'で点灯させて、原稿サイズ検知部１０９に原稿サイズの検知を行わせる（Ｓ３３）。
【００５１】
このように、原稿サイズ検知用光量が低光量Ａ'とされている場合、制御部１８０は、光源１００の光量を、予め定められた量αだけ増加させてＡ'＋αに変更して設定する（Ｓ３４）。例えば増加量αは人間の目には光量変化が認識できない範囲のわずかな量であり、Ａ'＋αは、初期光量であるＡより小さい光量である。そして、制御部１８０は、光源１００を光量Ａ'＋αで点灯させて、原稿サイズ検知部１０９に原稿サイズの検知を再度行わせる（Ｓ３５）。
【００５２】
上記の２度の原稿サイズ検知が終了すると、制御部１８０は、検出された原稿サイズが同じであったかどうかを判断する。これら２度の原稿サイズ検知で異なる原稿サイズが検知された場合（Ｓ３６でＮＯ）、制御部１８０は、次回の原稿サイズ検知において光源１００を点灯させる原稿サイズ検知用光量をＡ'から初期光量であるＡに戻す（Ｓ３７）。なぜなら、初期光量をＡ'のまま維持すると原稿サイズを正しく検知できないからである。
【００５３】
ステップＳ３７で、制御部１８０は、光源１００の初期光量を既定値Ａに戻すことにより、次回は、光源１００が初期光量Ａで点灯されて原稿サイズ検知が行われる。これにより、図５のステップＳ２７で光源１００の原稿サイズ検知用光量をＡ'に変更した後に、その光量で原稿サイズを正しく検知できそうにない場合には光源１００の原稿サイズ検知用光量が初期光量Ａに戻され、原稿サイズを再び正しく検出可能となる。
【００５４】
一方、２回の原稿サイズ検知で同じ原稿サイズが検知された場合（Ｓ３６でＹＥＳ）、制御部１８０は、光源１００の原稿サイズ検知用光量を引き続きＡ'に維持する。原稿サイズ検知用光量がＡ'のままでも原稿サイズを正しく検知できることから、原稿サイズ検知時に強い光が操作者の目に入らないようにするという観点からは、原稿サイズ検知用光量は、Ａよりも光量が低減されたＡ'の方が好ましいためである。
【００５５】
なお、上記ステップＳ３１からＳ３７までの光量復帰処理は、光源１００の原稿サイズ検知用光量がＡ'に設定された時点から予め定められた期間が経過したあと、例えば、原稿サイズ検知用光量がＡ'に設定された日の翌日以降に行ってもよい。すなわち、制御部１８０は、光源１００の原稿サイズ検知用光量をＡ'に設定した場合には同日中は光源１００の原稿サイズ検知用光量をＡ'に維持し、その翌日に、上記ステップＳ３１からＳ３７に従って、光源１００の原稿サイズ検知用光量を初期光量Ａに戻す光量復帰処理を行ってもよい。これによれば、周囲環境変化が生じる蓋然性の低い期間では上記光量復帰処理を行わずに、効率よく原稿サイズ検知用光量を初期光量Ａに戻すか否かを判断しつつ、原稿カバー２０が開いた状態での原稿サイズ検知による精度を確保しつつ、原稿サイズ検知時に強い光が操作者の目に入らないようにして操作者の不快感を軽減できる。
【００５６】
以上説明したように、本実施形態によれば、原稿カバー２０が開いた状態で原稿サイズの検知を行う場合における光源１００の光量を、原稿サイズ検知の精度を保ちつつ低減可能となる。本実施形態によれば、様々な厚みの原稿のサイズを正確に検知できるとともに、原稿サイズ検知時に強い光が操作者の目に入らないようにして、操作者の不快感を軽減できる。
【００５７】
なお、本発明は上記実施の形態の構成に限られず種々の変形が可能である。例えば、上記実施形態では、原稿カバー２０がプラテンカバーである場合を例にして説明しているが、画像形成装置１の上部に原稿搬送装置（ＡＤＦ（Ａｕｔｏ  Ｓｈｅｅｔ  Ｆｅｅｄｅｒ））が設けられ、当該原稿搬送装置の下面部が、コンタクトガラス１１上に載置された原稿を押さえる原稿押さえ部とされる画像形成装置１の場合には、当該原稿搬送装置、特にその原稿押さえ部が、上記原稿カバー２０として機能する。すなわち、上記原稿カバー２０の他、当該原稿搬送装置も、特許請求の範囲における原稿カバーの一例となる。
例えば、上記実施形態では、画像読取装置２は、ＣＣＤを用いた縮小光学系であるとしたが、セルフォック（登録商標）レンズ等の等倍正立光学系を用いて原稿Ｄの光学像をＣＩＳ（Ｃｏｎｔａｃｔ  Ｉｍａｇｅ  Ｓｅｎｓｏｒ）に結像することで画像を読み取る等倍光学系にも適用することができる。
【００５８】
また、図１乃至図６を用いて上記実施形態により示した構成及び処理は、本発明の一実施形態に過ぎず、本発明を当該構成及び処理に限定する趣旨ではない。
【符号の説明】
【００５９】
１      画像形成装置
２      画像読取装置
１１    コンタクトガラス
２０    原稿カバー
１００  光源
１０９  原稿サイズ検知部
１８０  制御部
Ｄ      原稿
【図１】
0006012695.tif 000002
【図２】
0006012695.tif 000003
【図３】
0006012695.tif 000004
【図４】
0006012695.tif 000005
【図５】
0006012695.tif 000006
【図６】
0006012695.tif 000007